(57)【要約】      （修正有）【課題】さらっとした肌触りを有する面と、柔らかく吸水性の良い面を有し、しかも、昇華転写による美しい図柄が表現できるパイル織物および印刷タオルを提供する。【解決手段】パイル織物１０ａ、１０ｂは、両外面にそれぞれガーゼ地部１１ａ、１１ｂを形成しつつ、そのガーゼ地部同士の間に一対のパイル地部１２ａ、１２ｂを対向して形成するように織製し、一対のパイル地部同士を接続しているパイル糸Ｐａ、Ｐｂを切断することによって一対のパイル地部を相互に分離して得られるパイル織物であり、ガーゼ地部は経糸ＶＧおよび緯糸ＨＧが少なくともポリエルテルを含むスパン糸であり、パイル地部はパイル糸が綿糸であって、ガーゼ地部の緯糸の間隔はパイル地部の緯糸の間隔よりも広くなっており、パイル地部の表面はパイル糸の切断によって形成された非ループパイル面になっており、ガーゼ地部の表面には昇華転写による印刷が施されている。【選択図】図２
0003217433.tif 000002
【実用新案登録請求の範囲】
【請求項１】
両外面にそれぞれガーゼ地部を形成しつつ、そのガーゼ地部同士の間に一対のパイル地部を対向して形成するように織製し、一対のパイル地部同士を接続しているパイル糸を切断することによって一対のパイル地部を相互に分離して得られるパイル織物であり、
ガーゼ地部は経糸および緯糸が少なくともポリエルテルを含むスパン糸であり、
パイル地部はパイル糸が綿糸であって、
ガーゼ地部の緯糸の間隔はパイル地部の緯糸の間隔よりも広くなっており、
パイル地部の表面はパイル糸の切断によって形成された非ループパイル面になっており、
ガーゼ地部の表面には昇華転写による印刷が施されているパイル織物。
【請求項２】
両外面にそれぞれガーゼ地部を形成しつつ、そのガーゼ地部同士の間に一対のパイル地部を対向して形成するように織製し、一対のパイル地部同士を接続しているパイル糸を切断することによって一対のパイル地部を相互に分離して得られるパイル織物よりなる印刷タオルであり、
ガーゼ地部は経糸および緯糸が少なくともポリエルテルを含むスパン糸であり、
パイル地部はパイル糸が綿糸であって、
ガーゼ地部の緯糸の間隔はパイル地部の緯糸の間隔よりも広くなっており、
パイル地部の表面はパイル糸の切断によって形成された非ループパイル面になっており、
ガーゼ地部の表面には昇華転写による印刷が施されている印刷タオル。
【考案の詳細な説明】
【技術分野】
【０００１】
この考案は、昇華転写による印刷が施されたパイル織物および印刷タオルに関する。
【背景技術】
【０００２】
昇華転写は精密で美しい図柄を布製品に表すことができる。しかも、図柄が決まれば簡単に原版を作成でき、少数生産も容易に行うことができる。
【０００３】
特許文献１には、両面がパイル面であり、少なくとも１面はポリエステルスパン糸を含むパイル糸が表れていて起毛された昇華転写印刷用面となっているタオル生地が記載されている。また、特許文献２には、タオル地の表面の全部に昇華転写プリントが可能に、タオル地の表面の全部にポリエステルフィラメント糸を露出させると共に表面を平坦面に形成し、この平坦な表面に昇華転写プリントが施されている昇華転写プリントタオルが記載されている。
【先行技術文献】
【特許文献】
【０００４】
【特許文献１】登録実用新案公報第３２０００５２号
【特許文献２】特開２００４−２２３２１５号公報
【考案の概要】
【考案が解決しようとする課題】
【０００５】
特許文献１に記載されたタオル生地は、両面がパイル面であり、少なくとも１面は昇華転写印刷用面となっている。したがって、昇華転写による印刷が施されているが、さらっとした手触りが得られない。
【０００６】
一方、特許文献２には、裏面全面を綿糸が１００％露出したガーゼ織に織成することが記載されている。また、綿よりなる地経糸に綿よりなる緯糸を絡ませてタオル地組織を織成し、パイルを裏面側に出すように織成することも記載されている。そして、昇華転写プリントが施される。しかし、特許文献２の昇華転写プリントタオルはタオル織機で織られるため、平織面における緯糸のピッチをパイル面の緯糸のピッチと独立に設定することができない。そのため、ガーゼ織りといえるほど粗い織製はできず、さらっとした手触りを得るのに限界がある。また、パイル面に形成されるパイルは先がループ状のものであり、吸水性に優れるが手触りがやや硬めである。シャーリングと呼ばれる処理によってループ先端をカットすれば、より柔らかい手触りが得られるが、特許文献２の考案の場合、パイルが抜けやすく、耐久性が低い。
【０００７】
この考案は、さらっとした肌触りを有する面と、柔らかく吸水性の良い面を有し、しかも、昇華転写による美しい図柄が表現できるパイル織物および印刷タオルを提供することを目的とする。
【課題を解決するための手段】
【０００８】
上述の課題を解決するため、この考案のパイル織物は、両外面にそれぞれガーゼ地部を形成しつつ、そのガーゼ地部同士の間に一対のパイル地部を対向して形成するように織製し、一対のパイル地部同士を接続しているパイル糸を切断することによって一対のパイル地部を相互に分離して得られるパイル織物であり、
ガーゼ地部は経糸および緯糸が少なくともポリエルテルを含むスパン糸であり、
パイル地部はパイル糸が綿糸であって、
ガーゼ地部の緯糸の間隔はパイル地部の緯糸の間隔よりも広くなっており、
パイル地部の表面はパイル糸の切断によって形成された非ループパイル面になっており、
ガーゼ地部の表面には昇華転写による印刷が施されている。
【０００９】
また、この考案の印刷タオルは、両外面にそれぞれガーゼ地部を形成しつつ、そのガーゼ地部同士の間に一対のパイル地部を対向して形成するように織製し、一対のパイル地部同士を接続しているパイル糸を切断することによって一対のパイル地部を相互に分離して得られるパイル織物よりなる印刷タオルであり、
ガーゼ地部は経糸および緯糸が少なくともポリエルテルを含むスパン糸であり、
パイル地部はパイル糸が綿糸であって、
ガーゼ地部の緯糸の間隔はパイル地部の緯糸の間隔よりも広くなっており、
パイル地部の表面はパイル糸の切断によって形成された非ループパイル面になっており、
ガーゼ地部の表面には昇華転写による印刷が施されている。
【考案の効果】
【００１０】
この考案のパイル織物および印刷タオルは、一方の面は粗いピッチで織られたガーゼ部でありさらっとした手触りであり、反対側の面はパイル長の長い非ループのパイル面であって柔らかな手触りである。ガーゼ地部はポリエルテルを含むスパン糸によるフラットな平織りであり、昇華転写による美しい図柄が表れる。非ループパイルでありながら抜け落ちにくく、耐久性に優れる。
【図面の簡単な説明】
【００１１】
【図１】パイル織物の織製を示す断面図である。
【図２】パイル織物を示す断面図である。
【図３】印刷タオルを示す斜視図である。
【考案を実施するための形態】
【００１２】
この考案を実施するための形態について説明する。まず、この考案のパイル織物の製造方法について説明する。図１はパイル織物の織製を示す断面図である。一対の同じパイル織物１０が相互に対向するように同時に織られ、その後に２枚に分離される。
【００１３】
両外面には、それぞれガーゼ地部１１が形成させる。そして、このガーゼ地部１１同士の間に、一対のパイル地部１２が形成される。図１は織製直後の織物の断面を示している。ここで、一対のパイル地部１２はまだ相互に接続されている。
【００１４】
両外面のガーゼ地部１１では、ガーゼ地部経糸ＶＧおよびガーゼ地部緯糸ＨＧとして少なくともポリエルテルを含むスパン糸を使用する。ガーゼ地部経糸ＶＧおよびガーゼ地部緯糸ＨＧにより粗い平織にする。
【００１５】
内側のパイル地部１２においては、パイル地経糸ＶＰおよびパイル地緯糸ＨＰは綿糸または綿を含むスパン糸が使用される。また、パイル糸Ｐにも綿を含むスパン糸が使用される。
【００１６】
パイル織物の構造および織り方についてさらに詳細に説明する。パイル地緯糸ＨＰは所定の一定間隔で配列されるが、概ね通常のタオル織物と同様のピッチでよい。両側のパイル地部１２ａ，１２ｂ同士において、織製の流れ方向に沿って同じ位置にパイル地緯糸ＨＰは設けられる。そして、１２本のパイル地緯糸ＨＰにより織り構造の一周期が形成される。図１において左側に示されるパイル地部１２ａにおいて、パイル地緯糸ＨＰ1を周期の始点として説明する。
【００１７】
ガーゼ地部１２の緯糸ＨＧの間隔はパイル地部の緯糸ＨＰの間隔よりも広くなっている。ここでは、パイル地部の緯糸ＨＰの間隔の２倍になっている。そして、織製の流れ方向に沿ってパイル地部の緯糸ＨＰ同士の中間の位置にガーゼ地部１２の緯糸ＨＧが配置される。また、両側のガーゼ地部１１ａ，１１ｂ同士において、織製の流れ方向に沿って同じ位置にガーゼ地緯糸ＨＧは設けられる。図１において左側に示されるガーゼ地部１１ａにおいて、周期における最初のガーゼ地緯糸ＨＧ1はＨＰ1とＨＰ2の間に表れ、次のＨＧ2はパイル地緯糸ＨＰ3とＨＰ4の間に表れる。一周期において６本のガーゼ地緯糸ＨＧ1〜ＨＧ6が配置される。
【００１８】
パイル地部１２ａにおいて、パイル地経糸ＶＰは最初のパイル地緯糸ＨＰ1の下側、すなわち織り組織における内側、を通り、次の緯糸ＨＰ2の外側を通る。以下、この繰り返しで平織りされる。一方、ガーゼ地経糸ＶＧは最初のガーゼ地緯糸ＨＧ1の外側を通り、次の緯糸ＨＧ2の内側を通る。以下、この繰り返しで平織りされるが、５番目の緯糸ＨＧ5の外側を通った後に１１番目のパイル地緯糸ＨＰ11の内側まで入り込む。
【００１９】
反対側のガーゼ地部１１ｂおよびパイル地部１２ｂにおいては、パイル地経糸ＶＰは最初のパイル地緯糸ＨＰ1の織り組織における外側を通り、次の緯糸ＨＰ2の内側を通る。一方、ガーゼ地経糸ＶＧは最初のガーゼ地緯糸ＨＧ1の外側を通り、次の緯糸ＨＧ2の内側を通る。以下、この繰り返して平織りされるが、３番目の緯糸ＨＧ3の外側を通った後に８番目のパイル地緯糸ＨＰ8の内側まで入り込む。
【００２０】
パイル糸Ｐは図１に示す周期の始めでは、パイル地部１２ａの最初のパイル地緯糸ＨＰ1の外側を通り、ＨＰ2の内側、ＨＰ3の外側を通る。その次にその同じパイル糸Ｐが反対側のパイル地部１２ｂまで入り、パイル地部１２ｂの４番目のパイル地緯糸ＨＰ4の外側を通り、ＨＰ5の内側、ＨＰ6の外側を通る。その後、再びパイル地部１２ａに戻り、パイル地部１２ａの７番目のパイル地緯糸ＨＰ7の外側を通る。以下、パイル地緯糸ＨＰ６本ごとの周期で繰り返す。
【００２１】
以上、それぞれのパイル織物１０ａ，１０ｂにおいて、１周期で一回はガーゼ地経糸ＶＧがパイル地緯糸ＨＰの内側を通るので、ガーゼ地部１１およびパイル地部１２は接続されている。また、パイル糸Ｐにより両側のパイル地部１２ａ，１２ｂも相互に接続されている。
【００２２】
こうして、織製直後は図１に示すような２枚のパイル織物１０ａ，１０ｂが接続された状態になっている。次の工程において、カッターにより、パイル地部１２ａ，１２ｂの間においてパイル糸Ｐが切断される。これにより、２枚のパイル織物１０ａ，１０ｂは相互に分離される。パイル糸Ｐはパイル織物１０ａ側のＰａとパイル織物１０ｂ側のＰｂに分離される。そして、この切断されたパイル糸Ｐａ，Ｐｂの先端部がパイル面部から突き出した非ループのパイルとなる。このパイル糸Ｐａ，Ｐｂは３本のパイル緯糸に絡んでいるので、パイル地に強く接続されており、抜けにくい。
【００２３】
なお、このような織製は通常のタオル織機では行えない。本例では、シール織機により織製している。したがって、ガーゼ地部緯糸ＨＧの間隔をパイル地部緯糸ＨＰの間隔によって束縛されることなく設定でき、広い間隔により目の粗いガーゼ地を得ることができる。
【００２４】
図２は、パイル織物を示す断面図である。分離された２枚のパイル織物１０ａ，１０ｂは、それぞれ一方にはポリエステルを含む糸によるフラットなガーゼ地部１１が表れ、反対側には綿を含む糸による非ループ状のパイル面を有するパイル地部１２ａ，１２ｂが形成されている。図においては２枚のパイル織物１０ａ，１０ｂは、非対称のようにも見えるが、同じ織物が位相のずれた状態で形成されているのである。
【００２５】
使用する糸の例について説明する。ガーゼ地部経糸ＶＧとしては、ポリエステルを含むスパン糸が使用される。例えば、ポリエステル１００％のスパン糸やポリエステル８０％ナイロン２０％のスパン糸が適している。本例では、ポリエステル８０％ナイロン２０％のスパン糸で３０番双糸を使用した。
ガーゼ地部緯糸ＨＧとしても、ポリエステルを含むスパン糸が使用される。本例では、ポリエステル１００％のスパン糸で３０番双糸を使用した。
一方、パイル地部経糸ＶＰはポリエステル１００％もしくは綿１００％である。また、パイル地部緯糸ＨＰは綿１００％である。そして、パイル糸Ｐは綿を主体とした糸を使用する。綿糸や綿・ポリエステルスパン糸が適しており、例えば１６番双糸、２０番双糸、３０番双糸を使用した。
【００２６】
パイル織物１０のガーゼ地部１１の表面に昇華転写による印刷を施す。ガーゼ地部１０は表面が平坦であり、しかもポリエステルを含むスパン糸が表れているため昇華転写による印刷に適しており、精密な図柄が表される。
【００２７】
つぎに、印刷タオルについて説明する。図３は印刷タオルを示す斜視図である。印刷タオルは上述のパイル織物を所定の形状に切り出し、辺部を縫製等で処理することにより作られる。寸法は自由に選択でき、通常のタオル以外にもハンカチサイズやフェイスタオルのような小型のもの、あるいはバスタオルのような大型タオルでもよい。
【００２８】
印刷タオル１の第１の面２には、ガーゼ地部１１が表れる。粗く織られたガーゼ地部であり、さらっとした肌触りが得られる。そして、この第１の面２には、昇華転写による美しい図柄が表現されている。
【００２９】
一方、反対側の第２の面３の面には、非ループパイル面を有するパイル地部１０が表れる。パイル糸の先端がカットされた柔らかい手触りが得られる。綿糸または綿を主体としたスパン糸を使用しており、吸水性がよく、シャーリングされたタオルとおなじフワフワした感触を楽しむことができる。このパイルは抜けにくく、耐久性がある。
【符号の説明】
【００３０】
１．印刷タオル
２．第１の面
３．第２の面
１０．パイル織物
１１．ガーゼ地部
１２．パイル地部
ＶＧ．ガーゼ地経糸
ＨＧ．ガーゼ地緯糸
ＶＰ．パイル地経糸
ＨＰ．パイル地緯糸
Ｐ．パイル糸
【図１】
0003217433.tif 000003
【図２】
0003217433.tif 000004
【図３】
0003217433.tif 000005